(57)【要約】 【課題】構造が簡単で且つ、単一の飲み口で、直飲みもストロー飲みも行うことができる飲み口を備えた飲料容器を提供する。【解決手段】容器本体１と、容器本体の上方開口部に装着する蓋体２と、前記蓋体の上面に突出させて設けた飲み口部３１１と、前記飲み口部と接続して容器内の内底面近傍まで垂設されるストロー部（ストロー体３３）を備え、蓋体裏面位置に飲み口部とストロー部との間に、流路と容器内部とを連通閉塞する開閉弁機構部（流入口部３１３を設けた飲み口筒体３１の下方部分及び開口部３２１を設けた弁筒体３２とで構成）を設けてなり、開閉弁機構の開閉で直飲みとストロー飲みを切り替える。【選択図】図１
0003111075.tif 000002
【実用新案登録請求の範囲】
【請求項１】
容器本体と、容器本体の上方開口部に装着する蓋体と、前記蓋体の上面に突出させて設けた飲み口部と、前記飲み口部と接続して容器内の内底面近傍まで垂設されるストロー部を備え、飲み口部とストロー部で構成される流路における蓋体裏面位置に、流路内と容器内部とを連通閉塞する開閉弁機構部を設けてなることを特徴とする飲料容器。
【請求項２】
飲み口部を回動可能に設けると共に、飲み口の回動操作と開閉弁機構部の開閉操作とが連動するように設けたことを特徴とする請求項１記載の飲料容器。
【請求項３】
回動可能に設けた所定箇所の流路に流入口部を設け、前記流入口部形成箇所を被覆すると共に、流路部分の所定回動位置に対応する開口部を設けた弁筒体を、蓋体に付設してなる請求項３記載の飲料容器。
【請求項４】
蓋体に煽り開閉自在としたカバー体を付設すると共に、カバー体の所定位置にカバー体閉塞時に飲み口部の開口上端を閉塞するパッキン部を設けてなる請求項１乃至３記載の何れかの飲料容器。
【請求項５】
容器本体が金属製真空二重構造の断熱容器としてなる請求項１乃至４記載の何れかの飲料容器。
【考案の詳細な説明】
【技術分野】
【０００１】
本考案は、特に飲み口に直接口を付けて喫飲する飲料容器に関するものである。
【背景技術】
【０００２】
水筒等の飲料容器において、蓋体を兼ねるコップを備えずに、容器に設けた飲み口に直接口を付けて喫飲する所謂直飲容器が知られており、この直飲容器も、容器を傾斜させて喫飲する直飲みタイプの飲料容器（特許文献１：特開２００２−３４８０２号）や、ストローで喫飲するストロー飲みタイプの飲料容器（特許文献２：特開２００１−２１０６号）が知られている。
【０００３】
また直飲みとストロー飲みのいずれかを選択する飲料容器（特許文献３：特開２００３−３４３５１号）も知られている。この選択タイプの容器は、ストローを直立支持すると共にストロー貫通箇所の周囲に流出口を設けた中仕切り部を容器内上部に設け、更にストロー上部を覆う中蓋を設け、ストローの先端を中蓋開口部（飲み口）から引き出した状態でストロー飲みとして使用することができ、ストローを押し込んだ状態で、容器を傾斜し、飲み口に直接口を付けて直飲みで喫飲するものである。
【０００４】
【特許文献１】特開２００２−３４８０２号公報。
【特許文献２】特開２００１−２１０６号公報。
【特許文献３】特開２００３−３４３５１号公報。
【考案の開示】
【考案が解決しようとする課題】
【０００５】
直飲みとストロー飲みを選択できると便利であるが、前記の特許文献３記載の飲料容器は、ストローの出没機構という複雑な構造を採用しなければならないし、然も前記出没機構は飲料の通過部分に存在するので故障しやすいという問題を抱えている。
【０００６】
またストロー先端部分と飲み口は二重構造となり、直飲みに際しては、飲み口から流出する飲料の他、ストロー内に滞留している飲料も同時に流出することになり、零す虞がある。
【０００７】
そこで本考案は、構造が簡単で且つ、単一の飲み口で、直飲みもストロー飲みも行うことができる新規な飲み口を備えた飲料容器を提案したものである。
【課題を解決するための手段】
【０００８】
本考案にかかる飲料容器は、容器本体と、容器本体の上方開口部に装着する蓋体と、前記蓋体の上面に突出させて設けた飲み口部と、前記飲み口部と接続して容器内の内底面近傍まで垂設されるストロー部を備え、飲み口部とストロー部で構成される流路における蓋体裏面位置に、流路内と容器内部とを連通閉塞する開閉弁機構部を設けてなることを特徴とするものである。
【０００９】
而して容器本体内に所望の飲料を収納し、開閉弁機構が閉塞状態の場合には、ストロー部と飲み口部とが密閉流路となるので、飲み口部から吸引すると飲料のストロー飲みが実現し、開閉弁機構が開口状態の場合には、容器を傾けると、容器本体内の飲料は、開閉弁開口箇所から流路部分に流入して飲み口部から流出するので、飲み口部からの直飲みが実現する。
【００１０】
また特に本考案（請求項２）は、飲み口部を回動可能に設けると共に、飲み口の回動操作と開閉弁機構部の開閉操作とが連動するように設けたことを特徴とするものである。
【００１１】
従って飲み口部の回動操作による単一動作で、直飲みとストロー飲みの切り替えを容易に行うことができる。
【考案の効果】
【００１２】
本考案は上記の構成であるので、単一の飲み口から直飲みもストロー飲みも行うことができ、喫飲時に飲み口から飲料を零す虞が無く、また簡単な構造で故障の可能性も低く、低コストで直飲みとストロー飲みの切り替えが出来る飲料容器を提供できたものである。
【考案を実施するための最良の形態】
【００１３】
次に本考案の実施の形態について説明する。実施形態に示した飲料容器は、容器本体１と、蓋体２と、飲み口部とストロー部と開閉弁機構部を備える喫飲部３と、蓋体２を覆うカバー体４で構成されている。
【００１４】
容器本体１は、金属製真空二重構造の断熱容器部１１と、断熱容器部１１の開口部に固着した樹脂製の蓋体装着部１２からなり、蓋体装着部１２は外周面に蓋体２を螺合装着できる螺子部１３を設けてなる。
【００１５】
蓋体２は、キャップ形状で前記蓋体装着部１２に螺合着脱自在とした本体２１に、カバー体４を装着するヒンジ機構部２２を設けると共に、喫飲部３を装着するための受け筒部２３を設けてなる。この受け筒部２３は、筒部上部に内鍔部２４を有し、下部が全開口し、且つヒンジ機構部２２と反対側の周壁に、開口部２５を設けてなる。またヒンジ機構部２２の近傍には、容器本体１内と連通する空気孔２６を設けてなる。
【００１６】
喫飲部３は、飲み口筒体３１と、弁筒体３２と、ストロー体３２３で構成され、弁筒体３２は、前記受け筒部２３に、周り止め構造で下方から挿入されるもので、開口部２５と一致する開口部３２１を設けてなる。
【００１７】
飲み口筒体３１は、上部が飲み口部３１１となり、中間に前記内鍔部２４と当接（Ｏリングを介装）する鍔部３１２が設けられ、下方部は前記を弁筒体３２に密挿されると共に、開口部３２１と対応する箇所に流入口部３１３を設け、下端部が前記弁筒体３２より露出するようにし、露出部分にネジ部３１４を形成してなる
【００１８】
ストロー体（ストロー部）３３は、連結されているチューブナット部３３１とチューブ３３２で構成され、チューブナット部３３１は、前記ネジ部３１４と螺合し、弁筒体３２を上下で挟圧するように飲み口筒体３１と連結される。またチューブ３３２は柔軟な材質で形成すると共に、容器本体１の内底面に達する充分な長さとしてなるものである。
【００１９】
従って喫飲部３は、連通する飲み口部３１１とストロー体（ストロー部）３３の間に、流入口部３１３を設けた飲み口筒体３１の下方部分及び開口部３２１を設けた弁筒体３２とで構成する開閉弁機構を介装した構造となる。
【００２０】
カバー体４は、蓋体２を被覆する一般的な外蓋で、前記ヒンジ機構部２２に装着して煽り開閉自在とし、適宜な開口付勢機構並びに閉塞保持機構（ロック機構）を付設してなるもので、特に閉塞時には、飲み口部３１１の開口上端を閉塞するパッキン部４１と、空気孔２６と対応する位置に、閉塞部４２を設けてなる。
【００２１】
而して容器本体１内に飲料Ａを収納しカバー体４を閉塞状態とすると、パッキン部４１で飲み口部３１１を密閉するので、内部飲料Ａが零れることなく携帯が可能であり、喫飲に際してカバー体４を開口して、飲み口部３１１に直接口を付けて喫飲するものである。
【００２２】
喫飲に際しては、飲み口筒体３１の回動操作で開口部３２１と流入口部３１３を一致させると、当該箇所が開口状態となり（図３イ）、容器本体１を傾斜させると、飲料Ａは、前記開口部分から飲み口筒体３１の内部に流れ込んで、飲み口部３１１からの直飲みで喫飲ができる（図４）。
【００２３】
また、飲み口筒体３１の回動操作で開口部３２１と流入口部３１３の位置をずらすと、当該箇所が閉塞状態となり（図３ロ）、飲み口筒体３１とストロー体３３で形成される流路が密閉状態となるので、飲み口部３１１から吸引することで、飲料のストロー飲みを行うことができる。
【００２４】
勿論容器本体を真空二重構造の断熱構造とすることで、収納飲料Ａの保温保冷がなされる。
【００２５】
尚本考案は前記実施形態に限定されるものではなく、開閉弁機構の操作が飲み口筒体３１の回動ではなく別手段（別に外部操作機構を設ける）を採用しても良いし、また開閉弁機構事態の構造も任意に定める事ができるものである。
【図面の簡単な説明】
【００２６】
【図１】本考案の実施形態全体の断面図。
【図２】同分解斜視図。
【図３】同ａ−ａ線断面図。
【図４】同直飲み状態の説明図（断面図）。
【図５】同ストロー飲み状態の説明図（断面図）。
【符号の説明】
【００２７】
１          容器本体
１１        断熱容器部
１２        蓋体装着部
１３        螺子部
２          蓋体
２１        本体
２２        ヒンジ機構部
２３        受け筒部
２４        内鍔部
２５        開口部
２６        空気孔
３          喫飲部
３１        飲み口筒体
３１１      飲み口部
３１２      鍔部
３１３      流入口部
３１４      ネジ部
３２        弁筒体
３２１      開口部
３３        ストロー体（ストロー部）
３３１      チューブナット部
３３２      チューブ
４          カバー体
４１        パッキン部
４２        閉塞部
【図１】
0003111075.tif 000003
【図２】
0003111075.tif 000004
【図３】
0003111075.tif 000005
【図４】
0003111075.tif 000006
【図５】
0003111075.tif 000007